(57)【特許請求の範囲】
【請求項１】
電柱に設置される四角筒状体の腕金に側方から被せて絶縁保護する腕金絶縁カバーであって、
硬質な絶縁材料からなり断面コ字状の外側カバーと、
スライド方向に対して折れ曲がり可能な絶縁材料からなるシート状の内側カバーとからなり、
腕金の高さが（Ｘ）で、
外側カバーの上下内法が（Ｙ）で、
内側カバーの厚さが（ｔ）であるときに、
（Ｙ）−（Ｘ）＞（ｔ）
との関係を有し、
内側カバーを外側カバーの内面に沿うように位置させた状態で、内側カバーの下端縁が腕金に押圧されたときに、内側カバーが外側カバー内をスライドして内側カバーの上側部分が外側カバーと腕金上面との間から押し出され、さらに折れ曲がって腕金の後面を覆うようにした
ことを特徴とする腕金絶縁カバー。
【請求項２】
内側カバーが、ゴム様シートで形成された
ことを特徴とする請求項１に記載の腕金絶縁カバー。
【請求項３】
内側カバーが、硬質な合成樹脂製の絶縁材料からなり短冊板形状のスラットの長辺部同士を可動可能に連結したものである
ことを特徴とする請求項１に記載の腕金絶縁カバー。
【請求項４】
外側カバーの上板に内側カバーを支えるＬ字ガイドを設けた
ことを特徴とする請求項１から３のいずれか１項に記載の腕金絶縁カバー。
【請求項５】
外側カバーの内面であって上下の角部がＲ面に形成された
ことを特徴とする請求項１から４のいずれか１項に記載の腕金絶縁カバー。
【請求項６】
ピン碍子が設けられた腕金の腕金絶縁カバーであって、
ピン碍子の支持ピンを挿通するＵ字状切欠を外側カバーに形成するとともに、支持ピンが露出する長さと同じ高さのＵ字状壁を外側カバーに形成し、
ピン碍子の支持ピンを挿通するＵ字スリットを内側カバーに形成した
ことを特徴とする請求項１から５のいずれか１項に記載の腕金絶縁カバー。
【請求項７】
外側カバーの側面には、絶縁ヤットコなどにより把持される把持部を設けた
ことを特徴とする請求項１から６のいずれか１項に記載の腕金絶縁カバー。
【発明の詳細な説明】
【技術分野】
【０００１】
この発明は、配電線作業の際に電柱の腕金を絶縁保護する腕金絶縁カバーに関し、取付が容易で作業時間の短縮を図ることができるようにした腕金絶縁カバーに関する。
【背景技術】
【０００２】
配電線作業の中で、地絡防止の為に高圧腕金へ防護用絶縁カバーを取付る作業等があるが、専用の防護用絶縁カバーがなく、高圧絶縁シート等を使用することが一般的に行われていた。
【０００３】
その高圧防護用絶縁シート等を腕金に掛ける作業は、安全性等の面から間接活線作業により行われることが推奨されており、作業者が絶縁性の道具（絶縁ヤットコ、共有操作棒等）を用いて行われる。
【０００４】
例えば、特許文献１に示される防護用絶縁シートは、配電線への防護用絶縁シートであるが、絶縁性のあるゴムシート又は樹脂シートからなる柔軟な電気絶縁シートに、その電気絶縁シートを二つ折りに曲げた際に互いに対向する相対位置に磁力によって互いに接合可能な複数の永久磁石を配置して構成される。
【０００５】
特許文献２に示される絶縁保護カバーは腕金の各面及びピン碍子の外面に対向するように複数の側面カバー部を複数のヒンジで連結して構成される。
【先行技術文献】
【特許文献】
【０００６】
【特許文献１】特開２００６−３４０４６２号公報
【特許文献２】特開２０１２−６０７０２号公報
【発明の概要】
【発明が解決しようとする課題】
【０００７】
しかしながら、特許文献１の発明にあっては、柔軟な防護用絶縁シートの配電線への装着を絶縁作業工具、例えば絶縁ヤットコ等の操作により二つ折りした防護用絶縁シートの中央部を正確に配電線上に位置決めして吊り下げ、更に対向する永久磁石を吸着して配電線に装着する作業は極めて厄介で多く時間を要し、作業者に大きな作業負担が要求され、かつその作業に熟練を要するという問題があった。
【０００８】
また、特許文献２の発明にあっては、腕金及びピン端子を保護することはできるが、その構造は多数の側面カバーと多数のヒンジとを組み合わせて構成されているものであり、簡単な構成とは言い難く、またその取付作業も簡単とは言い難いものである。
【０００９】
そこでこの発明は、取付作業が容易で作業時間の短縮を図ることができ、また、作業者の負担を軽減することできるとともに、取付状態の確認を容易に行え，絶縁に対する信頼性を向上させることができるようすることを目的とする。
【課題を解決するための手段】
【００１０】
上記目的を達成するために、請求項１に記載の発明は、電柱に設置される四角筒状体の腕金に側方から被せて絶縁保護する腕金絶縁カバーであって、硬質な絶縁材料からなり断面コ字状の外側カバーと、スライド方向に対して折れ曲がり可能な絶縁材料からなるシート状の内側カバーとからなり、腕金の高さが（Ｘ）で、外側カバーの上下内法が（Ｙ）で、内側カバーの厚さが（ｔ）であるときに、（Ｙ）−（Ｘ）＞（ｔ）との関係を有し、内側カバーを外側カバーの内面に沿うように位置させた状態で、内側カバーの下端縁が腕金に押圧されたときに、内側カバーが外側カバー内をスライドして内側カバーの上側部分が外側カバーと腕金上面との間から押し出され、さらに折れ曲がって腕金の後面を覆うようにした、ことを特徴とする腕金絶縁カバーである。
【００１１】
この発明によれば、腕金絶縁カバーを腕金の側方から被せるように移動させると、腕金の上面と外側カバーの上板との間から内側カバーが押し出されて内側カバーが腕金の後面を覆う。
【００１２】
請求項２に記載の発明は、請求項１に記載の腕金絶縁カバーにおいて、内側カバーが、ゴム様シートで形成されたことを特徴とする。
【００１３】
請求項３に記載の発明は、請求項１に記載の腕金絶縁カバーにおいて、内側カバーが、硬質な合成樹脂製の絶縁材料からなり短冊板形状のスラットの長辺部同士を可動可能に連結したものであることを特徴とする。
【００１４】
請求項４に記載の発明は、請求項１乃至請求項３に記載の腕金絶縁カバーにおいて、外側カバーの上板に内側カバーを支えるＬ字ガイドを設けたことを特徴とする。
【００１５】
請求項５に記載の発明は、請求項１乃至請求項４に記載の腕金絶縁カバーにおいて、外側カバーの内面であって上下の角部がＲ面に形成されたことを特徴とする。
【００１６】
請求項６に記載の発明は、請求項１乃至請求項５に記載の腕金絶縁カバーにおいて、ピン碍子が設けられた腕金の腕金絶縁カバーであり、ピン碍子の支持ピンを挿通するＵ字状切欠を外側カバーに形成するとともに、支持ピンが露出する長さと同じ高さのＵ字状壁を外側カバーに形成し、ピン碍子の支持ピンを挿通するＵ字スリットを内側カバーに形成したことを特徴とする。
【００１７】
請求項７に記載の発明は、請求項１乃至請求項６に記載の腕金絶縁カバーにおいて、外側カバーの側面に、絶縁ヤットコなどにより把持される把持部を設けたことを特徴とする。
【発明の効果】
【００１８】
請求項１に記載の発明によれば、硬質な絶縁材料からなり断面コ字状の外側カバーと、スライド方向に対して折れ曲がり可能な絶縁材料からなるシート状の内側カバーとからなり、腕金の高さが（Ｘ）で、外側カバーの上下内法が（Ｙ）で、内側カバーの厚さが（ｔ）であるときに、（Ｙ）−（Ｘ）＞（ｔ）との関係を有するようにしたので、内側カバーを外側カバーの内面に沿うように位置させた状態で、内側カバーの下端縁が腕金に押圧されたときに、内側カバーを外側カバー内でスライドさせることができ、内側カバーの上側部分を外側カバーと腕金上面との間から押し出して、さらに折れ曲がって腕金の後面を覆うようにすることができる。従って、腕金に対して腕金絶縁カバーの取付を容易かつ確実で作業時間を短縮できるとともに、作業者の負担が軽減でき、さらに、腕金に対する腕金絶縁カバーの取付状態の容易に確認でき、絶縁に対する信頼性を向上させることができる。
【００１９】
請求項２に記載の発明によれば、内側カバーをゴム様シートで形成したので、安価で確実な腕金絶縁カバーを提供することができる。
【００２０】
請求項３に記載の発明によれば、内側カバーを、硬質な合成樹脂製の絶縁材料からなる短冊板形状のスラットの長辺部同士を可動可能に連結したものにしたので、内側カバーを外側カバーの内面を滑らかにスライドさせることができ、よりスムースな着脱を行うことができる。
【００２１】
請求項４に記載の発明によれば、外側カバーの上板に内側カバーを支えるＬ字ガイドを設けたので、内側カバーの上側部分が外側カバーの上板内面に確実に保持されるので、確実に腕金を腕金絶縁カバー内に挿入させることができる。
【００２２】
請求項５に記載の発明によれば、外側カバーの内面であって上下の角部をＲ面に形成したので、内側カバーのスライドをスムースに行うことができる。
【００２３】
請求項６に記載の発明は、腕金に設けられたピン碍子の支持ピンを挿通するＵ字状切欠を外側カバーに形成するとともに、支持ピンが露出する長さと同じ高さのＵ字状壁を形成し、ピン碍子の支持ピンを挿通するＵ字スリットを内側カバーに形成したので、腕金に露出する金属部分を完全に覆うことができる。
【００２４】
請求項７に記載の発明は、外側カバーの側面に把持部を設けたので、間接活線作業において、絶縁ヤットコなどを使用して腕金絶縁カバーの取付を容易に行うことができる。
【図面の簡単な説明】
【００２５】
【図１】図２乃至図１０とともにこの発明の第１の実施の形態を示し、本図は腕金を腕金絶縁カバーで覆う直前の状態を示し、内側カバーと外側カバーとを離間して示す斜視図である。
【図２】外側カバーの平面図である。
【図３】外側カバーの背面図である。
【図４】外側カバーの側面図である。
【図５】腕金に腕金絶縁カバーを前方から取り付ける直前の状態を示す斜視図である。
【図６】図７乃至図１０とともに、第１の実施の形態における腕金絶縁カバーで腕金を保護する様子を順に示す側面図であり、本図は腕金の前方から腕金絶縁カバーを近づけた状態を示す。
【図７】本図は図６の状態から更に腕金絶縁カバーを後方へ移動させて、内側カバー下端縁が腕金に接触した状態を示す。
【図８】本図は図７の状態から更に腕金絶縁カバーを後方へ移動させて、内側カバーが外側カバーの内面をスライドしてその上端部が外側カバーよりも後方へ押し出された状態を示す。
【図９】本図は図８の状態から更に腕金絶縁カバーを後方へ移動させて、内側カバーの上側部分が腕金より後方へ押し出された状態を示す。
【図１０】本図は図９の状態から更に腕金絶縁カバーを後方へ移動させて、内側カバーの上側部分が折れ曲がり腕金の後面を覆った状態を示す。
【図１１】第２の実施の形態を示し、内側カバーを複数のスラットを連接してシャッターのように構成にした斜視図である。
【発明を実施するための形態】
【００２６】
以下、この発明を図示の各実施の形態に基づいて説明する。
【００２７】
図１乃至図１０は、本発明腕金絶縁カバー１０の第１の実施の形態を示す。この第１の実施の形態にかかる腕金絶縁カバー１０は、活線工事にあたり、電柱上の配電線関連機器である腕金１及び腕金１に取り付けられたピン碍子２の支持ピン２ａを絶縁保護する腕金絶縁カバー１０に適用したものである。
【００２８】
図１は腕金及びピン碍子と腕金絶縁カバーの展開状態を示す斜視図、図２乃至図４は腕金絶縁カバーの外側カバーを示し、図２は平面図、図３は背面図、図４は側面図、図５は腕金に腕金絶縁カバーを取り付ける直前の状態を示す斜視図、図６乃至図１０は腕金絶縁カバーを腕金に取り付ける様子を順番に説明するための側面図である。
【００２９】
なお、本発明腕金絶縁カバー及び腕金の説明について方向を表すときは、図１における矢印に示すＢ方向を後方、Ｆ方向を前方、Ｒ方向を右方、Ｌ方向を左方として説明する。
【００３０】
腕金１は一辺の長さが（Ｘ）の四角筒状の中空状鋼材によって形成され（図１、図６参照）、電柱（図示は省略）の上部に水平な状態で固定されている。
【００３１】
腕金１の上面１ａには複数のピン碍子２、２、…が設けられている（図５参照）。
【００３２】
ピン碍子２は碍子本体２ａの下面から突設された支持ピン２ｂが腕金１の上面１ａを貫通してボルトなどで腕金１に固定されている。このときピン端子２の支持ピン２ｂは碍子本体２ａと腕金１の上面１ａとの間で露出した状態で位置される。
【００３３】
腕金絶縁カバー１０は、外側カバー２０と内側カバー３０からなる。
【００３４】
外側カバー２０は比較的硬質な合成樹脂製の絶縁材料からなり、後方が開口した断面コ字状に形成され、外側カバー２０の上板２０ａと下板２０ｂとの間隔（上下内法）（Ｙ）が上記腕金１の一辺の長さ（Ｘ）よりも大きく形成されていて、コ字状の内部に上記腕金１が挿入されるようになっている。
【００３５】
外側カバー２０の上板２０ａの左右方向の中央部には、その後端縁から中央よりやや前方に寄った位置までＵ字状切欠２１が形成されている。このＵ字状切欠２１の幅は上記ピン碍子２の支持ピン２ｂが入る大きさとなっている。
【００３６】
また、外側カバー２０にはそのＵ字状切欠２１の閉塞端、即ち、上板２０ａのほぼ中央に立設するＵ字状壁２２が一体に形成され、このＵ字状壁２２の高さは上記ピン碍子２の支持ピン２ｂが露出している部分の長さとほぼ同じに形成されている。
【００３７】
外側カバー２０の上板２０ａの左右両端縁及びＵ字状切欠２１の内端縁にはそれぞれＬ字ガイド２３、２３、…が前後方向に伸びるように設けられている。
【００３８】
具体的には、Ｌ字ガイド２３は薄板をＬ字状に折り曲げて垂直板２３ｖと水平板２３ｈとに形成し、垂直板２３ｖ、２３ｖ、…の上端縁が上板２０ａの左右両端縁及びＵ字状切欠２１の内端縁にそれぞれ固定され、４つのＬ字ガイド２３、２３、…が上板２０ａに吊り下がり状に設けられている。そして、Ｕ字状切欠２１を中心に左右それぞれの２つのＬ字ガイド２３、２３はその水平板２３ｈ、２３ｈが互いに近づく方向に伸びるように位置される。
【００３９】
また、Ｌ字ガイド２３はその水平板２３ｈと上板２０ａとの間隔が後述する内側カバー３０の厚さ（ｔ）よりやや大きくなるように垂直板２３ｖが形成されている。
【００４０】
このようなＬ字ガイド２３、２３、…の前後方向の長さは外側カバー２０の前後方向の長さのほぼ１／２に形成されている。
【００４１】
外側カバー２０の下板２０ｂと前板２０ｃとの内側角部及び上板２０ａと前板２０ｃとの内側角部にはＲ面２４、２４が形成されており、後述する内側カバー３０が外側カバー２０の内面をスライドしやすくなっている。
【００４２】
外側カバー２０の前板２０ｃの外側面（前面）にはその左右方向のほぼ中央に立方体状の凸条が一体に形成されて把持部２５が形成されている。この把持部２５は、絶縁作業工具、例えば絶縁ヤットコ等で当該腕金絶縁カバー１０を把持するためのもので、これにより、当該腕金絶縁カバー１０を絶縁ヤットコで把持して、地上又は高所作業車から電柱の上部に位置する腕金１近傍にまで持っていくことができる。
【００４３】
内側カバー３０は比較的厚めのゴム様シートで形成されていて、左右幅が上記外側カバー２０の左右幅とほぼ同じに、また、前後方向の長さが外側カバー２０の上板２０ａ、前板２０ｃ、下板２０ｂを展開した状態の長さよりも長く形成されている。
【００４４】
また、内側カバー３０の厚さ（ｔ）は、外側カバー２０の上下内法（Ｙ）から腕金１の一辺の長さ（Ｘ）を引き算した大きさよりも薄く形成されている。すなわち、
（Ｙ）−（Ｘ）＞（ｔ）
との関係を有する。
【００４５】
なお、図６乃至図１０では、各部材間に比較的隙間がなく、即ち、（Ｙ）−（Ｘ）＝（ｔ）に近い状態で図示したが、実際には各部材間に適度な余裕を持たせることで腕金絶縁カバー１０を腕金１に覆せ易くすることができる。
【００４６】
これにより、内側カバー３０を外側カバー２０の内面に沿うように内接した状態で、内側カバー３０の下端縁を腕金１の前板１ｃで押圧した時に、内側カバー３０が外側カバー２０の内面を沿うようにスライドするように移動し、内側カバー３０の上端部が外側カバー２０の上板２０ａと腕金１の上面１ａと間から後方へ押し出されるようになっている。
【００４７】
内側カバー３０の左右方向の中央部には後方に開口するＵ字スリット３１が形成されており、該Ｕ字スリットの長さは腕金１の一辺の長さ（Ｘ）のほぼ１．５倍の長さを有する。これにより後述するように、内側カバー３０腕金１の上面１ａ、後面１ｄを覆い被さって行くときにピン碍子２の支持ピン２ｂがＵ字スリット３１内に挿入できるようになっている。
【００４８】
次に腕金１に腕金絶縁カバー１０を被せて腕金１及びピン碍子２を絶縁保護する手順を図６乃至図１０の順に説明する。
【００４９】
まず、内側カバー３０を外側カバー１０の内面に沿うように内接させてセッティングし腕金絶縁カバー１０を構成する。具体的には、内側カバー３０の後端縁を外側カバー２０の開口側から挿入して上側に折り曲げて、上板２０ａに設けられたＬ字ガイド２３、２３、…に前方から引掛ける。これにより、内側カバー３０の上側部分はＬ字ガイド２３、２３、…に支えられ、垂れ下がることはない。この状態から内側カバー３０の下側の端縁を外側カバー２０内に押し込むようにして図６のように内側カバー３０を外側カバー２０の内面に沿うように内接するようにセッティングすると、腕金絶縁カバー１０が構成される。なお、このセッティングは作業者が地上において行う。
【００５０】
このように構成された腕金絶縁カバー１０は外側カバー２０の上板２０ａに内側カバー３０を支えるＬ字ガイド２３、２３、…を設けたので、内側カバー３０の上側部分が外側カバーの上板２０ａ内面に確実に保持されるので、腕金１を腕金絶縁カバー１０内に確実に挿入させることができる。
【００５１】
そして、上述のように絶縁ヤットコで外側カバー２０の把持部２５を把持して、電柱上部に位置する腕金１の前方に位置させ、腕金１の前面１ｂの下縁が内側カバー３０の下側の端縁に対向した状態とされる（図６参照）。なお、図６乃至図１０で示す腕金絶縁カバー１０の後方への移動は腕金絶縁カバー１０を把持した上記絶縁ヤットコを作業者が地上又は高所作業車から操作することで行う。
【００５２】
次に、腕金絶縁カバー１０を後方に移動させると、腕金１の前面１ｂの下縁が内側カバー３０の下側の端縁に接触して内側カバー３０の下側部分を前方に押圧することになる（図７参照）。このとき、内側カバー３０は外側カバー２０の内面を沿うようにスライドして移動され、内側カバー３０の下側部分は前方へ、内側カバー３０の中間側部分は上方へ、上側部分は後方へ移動されることになる。また、このとき、外側カバー２０の内面角部がＲ面２４、２４に形成されているため、内側カバー３０の下側部分の前方への移動、中間部分の上方への移動、上側部分の後方への移動がスムースに行われる。なお、図示は省略したが、ピン碍子２の支持ピン２ｂは外側カバー２０のＵ字状切欠２１及び内側カバー３０のＵ字スリット３１の開口部に対向した位置で対向している。
【００５３】
更に、腕金絶縁カバー１０を後方に移動させると、腕金１の腕金１の前面１ｂの下縁がさらに内側カバー３０の下側の端縁を前方に押圧して（図８参照）、内側カバー３０の下側部分は前方へ、内側カバー３０の中間側部分は上方へ、上側部分は後方へ移動されることになる。そして、内側カバー３０の上側部分は腕金１の上面１ａ上をスライドして、後方へと移動され、外側カバー２０から後方へ押し出されることになる。
【００５４】
また更に、腕金絶縁カバー１０を後方に移動させると、内側カバー３０は外側カバー２０の内面をスライドしながらその上側部分が更に後方へ移動され、腕金１の上面１ａから後方へ押し出された状態となる（図９）。
【００５５】
そして、更に腕金絶縁カバー１０を後方に移動させると、内側カバー３０の上側部分が更に後方へ押し出されて腕金１の上面１ａから後方へ押し出された内側カバー３０の上側部分が自重により折れ曲がり、腕金１の後面１ｄを覆うことになる（図１０）。なお、図示は省略したが、腕金絶縁カバー１０の腕金１に対して後方へ移動されたときに、ピン碍子２の支持ピン２ｂは外側カバー２０のＵ字状切欠２１内及び内側カバー３０のＵ字スリット３１内を相対的に挿入し、図１０の状態では外側カバー２０のＵ字状壁２２に囲まれることになり、腕金１の金属部分が腕金絶縁カバー１０により完全に覆われることになる。
【００５６】
このようにして腕金１の下面１ｂ、後面１ｄ、上面１ａ、前面１ｃが内側カバー３０及び外側カバー２０によって覆われることになり、腕金１が腕金絶縁カバー１０にて絶縁保護される。
【００５７】
また、腕金１を絶縁保護した腕金絶縁カバー１０を腕金１から取り外すときは、外側カバー２０の把持部２５を絶縁ヤットコで把持し、前方に腕金絶縁カバー１０を移動させる。このとき、他の絶縁ヤットコなどで腕金１の後面１ｄに覆い被さった内側カバー３０の部分を上方へ持ち上げるようにすると、腕金絶縁カバー１０の前方への移動が容易となる。そして、そのまま腕金絶縁カバー１０を前方へ移動させることにより、絶縁保護した腕金１から腕金絶縁カバー１０を取り外すことができる。このとき、内側カバー３０は外側カバー２０の内面をスライドすることはなく、外側カバー２０に対して押し込まれた状態で腕金１からの取り外されることになる。この状態では内側カバー３０が外側カバー２０に対してセッティングされた状態ではないので、再度、腕金１を絶縁保護しようとするときは、地上において作業者がそのセッティングを行う。
【００５８】
図１１は本発明の第２の実施の形態を示すもので、上記第１の実施の形態における腕金絶縁カバー１０と相違する点は、内側カバー３０Ａだけなので、内側カバー３０Ａのみについて図示し説明する。
【００５９】
すなわち、内側カバー３０Ａは、いわゆるシャッターのような構造をしており、比較的硬質な合成樹脂製の絶縁材料からなり短冊板形状のスラット４１、４１、…の長辺部同士を可動可能に連結して内側カバー３０Ａを構成している。
【００６０】
また、左右方向の中央部には上記第１の実施の形態に係る内側カバー３０と同様にＵ字スリット４２が形成されており、腕金絶縁カバー１０の腕金１に対して後方へ移動させたときに、ピン碍子２の支持ピン２ｂが外側カバー２０のＵ字状切欠２１内及び内側カバー３０ＡのＵ字スリット４２内を相対的に挿入される。
【００６１】
そして、この第２の実施の形態に係る腕金絶縁カバーにあっても、内側カバー３０Ａが絶縁材料で形成されているため、第１の実施の形態に係る腕金絶縁カバー１０と同様に腕金１を絶縁保護することができ、かつ、内側カバー３０Ａを比較的硬質な合成樹脂製で形成したので、外側カバー２０の内面を滑らかにスライドさせることができ、よりスムースな着脱を行うことができる。
【００６２】
以上、この発明の各実施の形態を詳述してきたが、具体的な構成は上記の各実施の形態に限られるものではなく、この発明の要旨を逸脱しない範囲の設計の変更等があっても、この発明に含まれる。例えば、腕金１の断面形状が正方形の四角筒状で一辺の長さが（Ｘ）として説明したが、本発明はこれに限らず、腕金の断面形状が長方形の四角筒状のものであっても良く、この場合、（Ｘ）は高さとなる。
【００６３】
更に、上記実施の形態においては、Ｌ字ガイド２３、２３、…で内側カバー３０を支えるようにしたが、これに限らず、外側カバー２０の内面に係止ピンを立設するとともに内側カバー３０にこの係止ピンが挿通できるスリットを形成し、係止ピンの頭部がスリットから抜けないようにしても良い。
【符号の説明】
【００６４】
１      腕金
１ａ    上面
１ｄ    後面
Ｘ      腕金の一辺の長さ（高さ）
２      ピン碍子
２ａ    碍子本体
２ｂ    支持ピン
１０    腕金絶縁カバー
２０    外側カバー
２０ａ  上板
Ｙ      上板と下板との間隔（上下内法）
２１    Ｕ字状切欠
２２    Ｕ字状壁
２３    Ｌ字ガイド
２４    上部、下部に内面Ｒ部
２５    把持部
３０    内側カバー
ｔ      厚さ
３１    Ｕ字スリット
３０Ａ  内側カバー
４１    スラット
４２    Ｕ字スリット
【図１】
0006686678.tif 000002
【図２】
0006686678.tif 000003
【図３】
0006686678.tif 000004
【図４】
0006686678.tif 000005
【図５】
0006686678.tif 000006
【図６】
0006686678.tif 000007
【図７】
0006686678.tif 000008
【図８】
0006686678.tif 000009
【図９】
0006686678.tif 000010
【図１０】
0006686678.tif 000011
【図１１】
0006686678.tif 000012